(57)【要約】【課題】ラッピングバスの広告効果を的確に把握するとともに、乗客に乗車したバスのラッピング広告を意識させることができる広告管理システム、広告管理方法、広告管理プログラムを提供する。【解決手段】図１に示す広告管理システム１００は、乗客がラッピングバス１０４の乗車精算の際に使うＩＣバスカード１０１、乗客が所持する利用者端末１０２、ラッピングバス１０４に設置され、ＩＣバスカード１０１による運賃精算を行う精算装置１０５、ラッピングバス１０４に施された広告に関する情報およびラッピングバス１０４に乗車した乗客に関する情報を一元的に管理する広告管理装置１０３、並びに広告管理装置１０３と、精算装置１０５および利用者端末１０２とを接続するコンピュータネットワーク３を備えている。【選択図】      図１
2004341403.tif 000002
【特許請求の範囲】
【請求項１】
ＩＣカードを用いてラッピングバスに乗車する乗客が利用する利用者端末とコンピュータネットワークを介して相互に通信可能な広告管理装置と、該広告管理装置と前記コンピュータネットワークを介して相互に通信可能な複数の前記ラッピングバスの精算装置と、を備えて、前記ラッピングバスの車体に施されたラッピング広告に関する広告情報を前記乗客の乗車履歴情報と関連付けて管理する広告管理システムであって、
それぞれの前記精算装置は、
前記乗客が前記ＩＣカードを用いて乗車運賃を精算する際に、前記ＩＣカードからカード管理番号を読み取り、該カード管理番号を乗車日時とともに記憶するＩＣカード処理手段と、
所定の時刻になると、もしくは所定の時間間隔において、前記ＩＣカード処理手段で記憶した情報を、前記精算装置が設置されている前記ラッピングバスの車両番号とともに、乗車履歴情報として前記広告管理装置に送信する送信手段と、を有し、
前記広告管理装置は、
前記広告情報を広告が施された前記ラッピングバスの前記車両番号と対応付けて記憶する広告情報記憶手段と、
前記利用者端末から送信された前記乗客の個人情報と前記乗客が用いている前記ＩＣカードの前記カード管理番号とを対応付けて記憶する利用者情報記憶手段と、
それぞれの前記精算装置から送信された前記乗車履歴情報を記憶する乗車履歴情報記憶手段と、
前記広告情報記憶手段、前記利用者情報記憶手段、および前記乗車履歴情報記憶手段に記憶されているそれぞれの情報に基づいて、前記ラッピング広告の広告効果を測定する広告効果測定手段と、
前記利用者端末から前記乗客の乗車履歴要求を受け付けると、前記乗車履歴情報および前記乗客が乗車した前記ラッピングバスに関する前記広告情報を表示する乗車履歴表示手段と、
を有することを特徴とする広告管理システム。
【請求項２】
前記広告管理装置は、所定の期間ごとに無作為に少なくとも１以上の前記車両番号を抽出し、該車両番号の前記ラッピングバスに乗車したことがある前記乗客を当選者として賞品を提供する第１の懸賞手段を有することを特徴とする請求項１記載の広告管理システム。
【請求項３】
前記広告管理装置は、所定の期間ごとに特定の広告主または特定のラッピングバスの前記車両番号を少なくとも１以上を抽出し、特定された広告主または特定された前記車両番号の前記ラッピングバスに乗車したことがある前記乗客を当選者として賞品を提供する第２の懸賞手段を有することを特徴とする請求項１記載の広告管理システム。
【請求項４】
前記広告管理装置は、前記ＩＣカードを所有しない一般利用者の前記利用者端末から前記ラッピング広告に関するコンテスト又はクイズの応募情報を受け付けるイベント参加手段を有することを特徴とする請求項１乃至３のいずれか１項に記載の広告管理システム。
【請求項５】
ＩＣカードを用いてラッピングバスに乗車する乗客が利用する利用者端末とコンピュータネットワークを介して相互に通信可能な広告管理装置と、該広告管理装置と前記コンピュータネットワークを介して相互に通信可能な複数の前記ラッピングバスの精算装置と、を備えた広告管理システムが、前記ラッピングバスの車体に施されたラッピング広告に関する広告情報を前記乗客の乗車履歴情報と関連付けて管理する広告管理方法であって、
それぞれの前記精算装置は、
前記乗客が前記ＩＣカードを用いて乗車運賃を精算する際に、前記ＩＣカードからカード管理番号を読み取り、該カード管理番号を乗車日時とともに記憶するＩＣカード処理ステップと、
所定の時刻になると、もしくは所定の時間間隔において、前記ＩＣカード処理ステップで記憶した情報を、前記精算装置が設置されている前記ラッピングバスの車両番号とともに、乗車履歴情報として前記広告管理装置に送信する送信ステップと、
を有し、
前記広告管理装置は、
前記広告情報を広告が施された前記ラッピングバスの前記車両番号と対応付けて記憶する広告情報記憶ステップと、
前記利用者端末から送信された前記乗客の個人情報と前記乗客が用いている前記ＩＣカードの前記カード管理番号とを対応付けて記憶する利用者情報記憶ステップと、
それぞれの前記精算装置から送信された前記乗車履歴情報を記憶する乗車履歴情報記憶ステップと、
前記広告情報記憶ステップ、前記利用者情報記憶ステップ、および前記乗車履歴情報記憶ステップで記憶されたそれぞれの情報に基づいて、前記ラッピング広告の広告効果を測定する広告効果測定ステップと、
前記利用者端末から前記乗客の乗車履歴要求を受け付けると、前記乗車履歴情報および前記乗客が乗車した前記ラッピングバスに関する前記広告情報を表示する乗車履歴表示ステップと、
を有することを特徴とする広告管理方法。
【請求項６】
前記広告管理装置は、所定の期間ごとに無作為に少なくとも１以上の前記車両番号を抽出し、該車両番号の前記ラッピングバスに乗車したことがある前記乗客を当選者として賞品を提供する第１の懸賞ステップを有することを特徴とする請求項５記載の広告管理方法。
【請求項７】
前記広告管理装置は、所定の期間ごとに特定の広告主または特定のラッピングバスの前記車両番号を少なくとも１以上を抽出し、特定された広告主または特定された前記車両番号の前記ラッピングバスに乗車したことがある前記乗客を当選者として賞品を提供する第２の懸賞ステップを有することを特徴とする請求項５記載の広告管理方法。
【請求項８】
前記広告管理装置は、前記ＩＣカードを所有しない一般利用者の前記利用者端末から前記ラッピング広告に関するコンテスト又はクイズの応募情報を受け付けるイベント参加ステップを有することを特徴とする請求項５乃至７のいずれか１項に記載の広告管理方法。
【請求項９】
ＩＣカードを用いてラッピングバスに乗車する乗客が利用する利用者端末とコンピュータネットワークを介して相互に通信可能な広告管理装置と、該広告管理装置と前記コンピュータネットワークを介して相互に通信可能な複数の前記ラッピングバスの精算装置と、を備えた広告管理システムが、前記ラッピングバスの車体に施されたラッピング広告に関する広告情報を前記乗客の乗車履歴情報と関連付けて管理する広告管理プログラムであって、
前記乗客が前記ＩＣカードを用いて乗車運賃を精算する際に、前記ＩＣカードからカード管理番号を読み取り、該カード管理番号を乗車日時とともに記憶するＩＣカード処理ステップと、
所定の時刻になると、もしくは所定の時間間隔において、前記ＩＣカード処理ステップで記憶した情報を、前記精算装置が設置されている前記ラッピングバスの車両番号とともに、乗車履歴情報として前記広告管理装置に送信する送信ステップと、
をそれぞれの前記精算装置に実行させ、
前記広告情報を広告が施された前記ラッピングバスの前記車両番号と対応付けて記憶する広告情報記憶ステップと、
前記利用者端末から送信された前記乗客の個人情報と前記乗客が用いている前記ＩＣカードの前記カード管理番号とを対応付けて記憶する利用者情報記憶ステップと、
それぞれの前記精算装置から送信された前記乗車履歴情報を記憶する乗車履歴情報記憶ステップと、
前記広告情報記憶ステップ、前記利用者情報記憶ステップ、および前記乗車履歴情報記憶ステップで記憶されたそれぞれの情報に基づいて、前記ラッピング広告の広告効果を測定する広告効果測定ステップと、
前記利用者端末から前記乗客の乗車履歴要求を受け付けると、前記乗車履歴情報および前記乗客が乗車した前記ラッピングバスに関する前記広告情報を表示する乗車履歴表示ステップと、
を前記広告管理装置に実行させることを特徴とする広告管理プログラム。
【請求項１０】
所定の期間ごとに無作為に少なくとも１以上の前記車両番号を抽出し、該車両番号の前記ラッピングバスに乗車したことがある前記乗客を当選者として賞品を提供する第１の懸賞ステップを前記広告管理装置に実行させることを特徴とする請求項９記載の広告管理プログラム。
【請求項１１】
所定の期間ごとに特定の広告主または特定のラッピングバスの前記車両番号を少なくとも１以上を抽出し、特定された広告主または特定された前記車両番号の前記ラッピングバスに乗車したことがある前記乗客を当選者として賞品を提供する第２の懸賞ステップを前記広告管理装置に実行させることを特徴とする請求項９記載の広告管理プログラム。
【請求項１２】
前記ＩＣカードを所有しない一般利用者の前記利用者端末から前記ラッピング広告に関するコンテスト又はクイズの応募情報を受け付けるイベント参加ステップを前記広告管理装置に実行させることを特徴とする請求項９乃至１１のいずれか１項に記載の広告管理プログラム。
【発明の詳細な説明】
【０００１】
【発明の属する技術分野】
本発明は、公共交通機関の車両に施されたラッピング広告を乗車用ＩＣカードとリンクさせて管理する広告管理システム、広告管理方法、および広告管理プログラムに関する。
【０００２】
【従来の技術】
従来、バス事業者等は、バス車体の一部に専用ボードを取り付けて広告を行っていたが、最近ではバスの車体全面に広告を施したラッピングバスを運行させ、広告収入の拡大を図っている。
【０００３】
尚、この出願に関連する先行技術文献情報としては、次のものがある。
【０００４】
【特許文献１】
特開２００２−１４０７３６
【０００５】
【特許文献２】
特開２００１−１３４６４４
【０００６】
【発明が解決しようとする課題】
路線バスは繁華街や住宅地を運行することが多いため、ラッピング広告を施すことで乗客や通行人にある程度の広告訴求は可能であるが、その効果については、テレビ広告で用いられる視聴率のような具体的な数値がないため、客観的に広告効果を把握することは難しいという課題があった。また乗客もラッピングバスに乗車する際は広告を目にするが、下車した後に広告内容を意識することは極めて少なかった。
【０００７】
本発明は、上記の課題を解決するためになされたものであり、ラッピングバスの広告効果を的確に把握するとともに、乗車したバスのラッピング広告を乗客に意識させることができる広告管理システム、広告管理方法、および広告管理プログラムを提供することを目的とする。
【０００８】
【課題を解決するための手段】
上記目的を達成するため、請求項１記載の本発明は、ＩＣカードを用いてラッピングバスに乗車する乗客が利用する利用者端末とコンピュータネットワークを介して相互に通信可能な広告管理装置と、該広告管理装置と前記コンピュータネットワークを介して相互に通信可能な複数の前記ラッピングバスの精算装置と、を備えて、前記ラッピングバスの車体に施されたラッピング広告に関する広告情報を前記乗客の乗車履歴情報と関連付けて管理する広告管理システムであって、それぞれの前記精算装置は、前記乗客が前記ＩＣカードを用いて乗車運賃を精算する際に、前記ＩＣカードからカード管理番号を読み取り、該カード管理番号を乗車日時とともに記憶するＩＣカード処理手段と、所定の時刻になると、もしくは所定の時間間隔において、前記ＩＣカード処理手段で記憶した情報を、前記精算装置が設置されている前記ラッピングバスの車両番号とともに、乗車履歴情報として前記広告管理装置に送信する送信手段と、を有し、前記広告管理装置は、前記広告情報を広告が施された前記ラッピングバスの前記車両番号と対応付けて記憶する広告情報記憶手段と、前記利用者端末から送信された前記乗客の個人情報と前記乗客が用いている前記ＩＣカードの前記カード管理番号とを対応付けて記憶する利用者情報記憶手段と、それぞれの前記精算装置から送信された前記乗車履歴情報を記憶する乗車履歴情報記憶手段と、前記広告情報記憶手段、前記利用者情報記憶手段、および前記乗車履歴情報記憶手段に記憶されているそれぞれの情報に基づいて、前記ラッピング広告の広告効果を測定する広告効果測定手段と、前記利用者端末から前記乗客の乗車履歴要求を受け付けると、前記乗車履歴情報および前記乗客が乗車した前記ラッピングバスに関する前記広告情報を表示する乗車履歴表示手段と、を有することを要旨とする。
【０００９】
ここで、ラッピングバスとは、車体全面に広告を施したバスおよび路面電車のことをいう。
【００１０】
請求項２記載の本発明は、請求項１記載の発明において、前記広告管理装置は、所定の期間ごとに無作為に少なくとも１以上の前記車両番号を抽出し、該車両番号の前記ラッピングバスに乗車したことがある前記乗客を当選者として賞品を提供する第１の懸賞手段を有することを要旨とする。
【００１１】
請求項３記載の本発明は、請求項１記載の発明において、前記広告管理装置は、所定の期間ごとに特定の広告主または特定のラッピングバスの前記車両番号を少なくとも１以上を抽出し、特定された広告主または特定された前記車両番号の前記ラッピングバスに乗車したことがある前記乗客を当選者として賞品を提供する第２の懸賞手段を有することを要旨とする。
【００１２】
請求項４記載の本発明は、請求項１乃至３のいずれか１項に記載の発明において、前記広告管理装置は、前記ＩＣカードを所有しない一般利用者の前記利用者端末から前記ラッピング広告に関するコンテスト又はクイズの応募情報を受け付けるイベント参加手段を有することを要旨とする。
【００１３】
請求項５記載の本発明は、ＩＣカードを用いてラッピングバスに乗車する乗客が利用する利用者端末とコンピュータネットワークを介して相互に通信可能な広告管理装置と、該広告管理装置と前記コンピュータネットワークを介して相互に通信可能な複数の前記ラッピングバスの精算装置と、を備えた広告管理システムが、前記ラッピングバスの車体に施されたラッピング広告に関する広告情報を前記乗客の乗車履歴情報と関連付けて管理する広告管理方法であって、それぞれの前記精算装置は、前記乗客が前記ＩＣカードを用いて乗車運賃を精算する際に、前記ＩＣカードからカード管理番号を読み取り、該カード管理番号を乗車日時とともに記憶するＩＣカード処理ステップと、所定の時刻になると、もしくは所定の時間間隔において、前記ＩＣカード処理ステップで記憶した情報を、前記精算装置が設置されている前記ラッピングバスの車両番号とともに、乗車履歴情報として前記広告管理装置に送信する送信ステップと、を有し、前記広告管理装置は、前記広告情報を広告が施された前記ラッピングバスの前記車両番号と対応付けて記憶する広告情報記憶ステップと、前記利用者端末から送信された前記乗客の個人情報と前記乗客が用いている前記ＩＣカードの前記カード管理番号とを対応付けて記憶する利用者情報記憶ステップと、それぞれの前記精算装置から送信された前記乗車履歴情報を記憶する乗車履歴情報記憶ステップと、前記広告情報記憶ステップ、前記利用者情報記憶ステップ、および前記乗車履歴情報記憶ステップで記憶されたそれぞれの情報に基づいて、前記ラッピング広告の広告効果を測定する広告効果測定ステップと、前記利用者端末から前記乗客の乗車履歴要求を受け付けると、前記乗車履歴情報および前記乗客が乗車した前記ラッピングバスに関する前記広告情報を表示する乗車履歴表示ステップと、を有することを要旨とする。
【００１４】
請求項６記載の本発明は、請求項５記載の発明において、前記広告管理装置は、所定の期間ごとに無作為に少なくとも１以上の前記車両番号を抽出し、該車両番号の前記ラッピングバスに乗車したことがある前記乗客を当選者として賞品を提供する第１の懸賞ステップを有することを要旨とする。
【００１５】
請求項７記載の本発明は、請求項５記載の発明において、前記広告管理装置は、所定の期間ごとに特定の広告主または特定のラッピングバスの前記車両番号を少なくとも１以上を抽出し、特定された広告主または特定された前記車両番号の前記ラッピングバスに乗車したことがある前記乗客を当選者として賞品を提供する第２の懸賞ステップを有することを要旨とする。
【００１６】
請求項８記載の本発明は、請求項５乃至７のいずれか１項に記載の発明において、前記広告管理装置は、前記ＩＣカードを所有しない一般利用者の前記利用者端末から前記ラッピング広告に関するコンテスト又はクイズの応募情報を受け付けるイベント参加ステップを有することを要旨とする。
【００１７】
請求項９記載の本発明は、ＩＣカードを用いてラッピングバスに乗車する乗客が利用する利用者端末とコンピュータネットワークを介して相互に通信可能な広告管理装置と、該広告管理装置と前記コンピュータネットワークを介して相互に通信可能な複数の前記ラッピングバスの精算装置と、を備えた広告管理システムが、前記ラッピングバスの車体に施されたラッピング広告に関する広告情報を前記乗客の乗車履歴情報と関連付けて管理する広告管理プログラムであって、前記乗客が前記ＩＣカードを用いて乗車運賃を精算する際に、前記ＩＣカードからカード管理番号を読み取り、該カード管理番号を乗車日時とともに記憶するＩＣカード処理ステップと、所定の時刻になると、もしくは所定の時間間隔において、前記ＩＣカード処理ステップで記憶した情報を、前記精算装置が設置されている前記ラッピングバスの車両番号とともに、乗車履歴情報として前記広告管理装置に送信する送信ステップと、をそれぞれの前記精算装置に実行させ、前記広告情報を広告が施された前記ラッピングバスの前記車両番号と対応付けて記憶する広告情報記憶ステップと、前記利用者端末から送信された前記乗客の個人情報と前記乗客が用いている前記ＩＣカードの前記カード管理番号とを対応付けて記憶する利用者情報記憶ステップと、それぞれの前記精算装置から送信された前記乗車履歴情報を記憶する乗車履歴情報記憶ステップと、前記広告情報記憶ステップ、前記利用者情報記憶ステップ、および前記乗車履歴情報記憶ステップで記憶されたそれぞれの情報に基づいて、前記ラッピング広告の広告効果を測定する広告効果測定ステップと、前記利用者端末から前記乗客の乗車履歴要求を受け付けると、前記乗車履歴情報および前記乗客が乗車した前記ラッピングバスに関する前記広告情報を表示する乗車履歴表示ステップと、を前記広告管理装置に実行させることを要旨とする。
【００１８】
請求項１０記載の本発明は、請求項９記載の発明において、所定の期間ごとに無作為に少なくとも１以上の前記車両番号を抽出し、該車両番号の前記ラッピングバスに乗車したことがある前記乗客を当選者として賞品を提供する第１の懸賞ステップを前記広告管理装置に実行させることを要旨とする。
【００１９】
請求項１１記載の本発明は、請求項９記載の発明において、所定の期間ごとに特定の広告主または特定のラッピングバスの前記車両番号を少なくとも１以上を抽出し、特定された広告主または特定された前記車両番号の前記ラッピングバスに乗車したことがある前記乗客を当選者として賞品を提供する第２の懸賞ステップを前記広告管理装置に実行させることを要旨とする。
【００２０】
請求項１２記載の本発明は、請求項９乃至１１のいずれか１項に記載の発明において、前記ＩＣカードを所有しない一般利用者の前記利用者端末から前記ラッピング広告に関するコンテスト又はクイズの応募情報を受け付けるイベント参加ステップを前記広告管理装置に実行させることを要旨とする。
【００２１】
【発明の実施の形態】
以下、本発明の実施の形態を図面を用いて説明する。
【００２２】
図１は、本発明の実施の形態に係る広告管理システム１００の概略構成図である。図１に示す広告管理システム１００は、乗客がラッピングバス１０４の乗車精算の際に使うＩＣバスカード１０１、乗客が所持する利用者端末１０２、ラッピングバス１０４に設置され、ＩＣバスカード１０１によって運賃精算を行う精算装置１０５、ラッピングバス１０４に施された広告に関する情報およびラッピングバス１０４に乗車した乗客に関する情報を一元的に管理する広告管理装置１０３、並びに広告管理装置１０３と、精算装置１０５および利用者端末１０２とを接続するコンピュータネットワーク３を備えている。尚、図１にはラッピングバス１０４および利用者端末１０２は１つしか図示されていないが、広告管理システム１００は、バス事業者が有している複数のラッピングバス１０４を対象にしており、また、複数の利用者端末１０２を対象にしているものである。
【００２３】
ＩＣバスカード１０１は、運賃プリペイド方式のＩＣカードであり、カード表面には識別ＩＤとしてのカード管理番号が印刷されているとともに、カードのメモリ上には該カード管理番号が記録されている。尚、ＩＣバスカード１０２は、残額が少なくなっても再入金が可能なチャージ機能を備えているものである。
【００２４】
利用者端末１０２は、乗客が利用するパソコン等の端末装置であり、利用者端末１０２には、ブラウザソフトがインストールされており、これにより、広告管理装置１０３と情報のやりとりを行うことができるようになっている。
【００２５】
ラッピングバス１０４に備えられている精算装置１０５は、乗車した乗客のＩＣバスカード１０４と情報（金額情報およびカード管理番号）のやりとりを行う入出力部１０５１、入出力部１０５１を介して受け取ったカード管理番号を蓄積する乗客データベース（以下、乗客ＤＢという）１０５２、乗客ＤＢ１０５２に蓄積されたデータを広告管理装置１０３にＰＨＳなどの携帯端末を介して送信する通信部１０５３、並びに、ＣＰＵおよびメモリ等から構成され、乗客ＤＢ１０５２、入出力部１０５１および通信部１０５３の制御や、各種データの転送、種々の演算、データの一時的な格納等を行うことにより、後述するような動作を機能させる制御部１０５４を備えている。
【００２６】
乗客ＤＢ１０５２は、更に詳しくは、図２（ａ）に示すようにカード管理番号１０５２ａ、乗車日時１０５２ｂ、送信状態１０５２ｃを記憶するデータベースで、乗客がＩＣバスカード１０１を用いて運賃を支払う際に読み取られたカード管理番号が、乗車した日時および未送信の状態とともに乗客ＤＢ１０５２に登録されるようになっている。また、乗客ＤＢ１０５２に記憶されたデータは、定期的にラッピングバス１０４の識別番号である車両番号を付加して広告管理装置１０３に送信されるようになっており、送信されると送信状態は送信済に更新される。
【００２７】
尚、上述した通信部１０５３は、ＰＨＳなどの携帯端末を利用したものに限定されず、およそコンピュータネットワーク１０７に接続可能な通信機能を有するものであればよい。
【００２８】
広告管理装置１０３は、広告管理システム１００のサーバとしての機能を有する装置であり、利用者データベース（以下、利用者ＤＢという）１０３１、広告データベース（以下、広告ＤＢという）１０３２、乗車履歴データベース（乗車履歴ＤＢという）１０３３、利用者端末１０２および精算装置１０５とデータのやりとりを行う送受信部１０３４、上記各ＤＢおよび送受信部１０３４の制御や、各種データの転送、種々の演算、データの一時的な格納等を行うことにより、後述するような動作を機能させる制御部１０３５を備えている。
【００２９】
利用者ＤＢ１０３１は、カード管理番号とユーザＩＤを対応付けて乗客情報を記憶しているもので、具体的には、図２（ｂ）に示すように、カード管理番号１０３１ａ、ユーザＩＤ１０３１ｂ、パスワード１０３１ｃ、および氏名・住所などの個人属性情報１０３１ｄを記憶するデータベースである。
【００３０】
広告ＤＢ１０３２は、ラッピングバス１０４に施されている広告を車両番号と対応付けて管理しているもので、具体的には、図２（ｃ）に示すように、車両番号１０３２ａ、広告主を一意に決める広告主コード１０３２ｂ、および広告画像ファイル１０３２ｃを記憶するデータベースである。
【００３１】
乗車履歴ＤＢ１０３３は、精算装置１０５から送信された乗客ＤＢ１０５２のデータを格納するもので、具体的には、図２（ｄ）に示すように、車両番号１０３３ａ、カード管理番号１０３３ｂ、および乗車日時１０３３ｃを記憶するデータベースである。ここで、上述した利用者ＤＢ１０３１、広告ＤＢ１０３２、および乗車履歴ＤＢ１０３３を合わせて、以後、広告管理装置１０３の広告データベース群１０３６という。
【００３２】
尚、広告管理装置１０３は、上述したようなアプリケーションサーバ及びデータベースサーバとしての機能の他、図示してはいないが、Ｗｅｂサーバとしての機能も有しており、利用者端末１０２とＷｅｂを活用した情報授受ができるようになっている。また、広告管理装置１０３の構成としては、図１に示すような一つからなる装置の他、分散されて複数の装置がネットワーク接続されたシステムなどの構成をとってもよい。
【００３３】
コンピュータネットワーク１０７は、広告管理装置１０３と、利用者端末１０２および精算装置１０５の間で送受信されるデータの伝送路であり、例えば、インターネット網、電話回線網、ケーブルテレビジョン放送網、衛星を介したテレビジョン放送網などにより構成されるものであるが、有線及び無線であるか、さらには有線及び無線の混在型であるかは問わない。
【００３４】
次に、本実施の形態に係る広告管理システム１００の動作について図３乃至５を用いて説明する。ここで、図３は、利用者登録処理を示すフローチャート図であり、図４は、精算装置１０５における乗車履歴収集処理を示すフローチャート図であり、図５は、広告管理装置１０３における懸賞処理を示すフローチャート図である。
【００３５】
まず、利用者登録処理について説明する。
【００３６】
利用者（乗客）が、ＩＣバスカード１０１を購入した後（ステップＳ１０）、利用者端末１０２を用いて広告管理装置１０３に接続し（ステップＳ２０）、ＩＣバスカード１０１に表示されているカード管理番号とともに、住所、氏名等の個人属性情報を登録する（ステップＳ３０）。広告管理装置１０３では登録されたカード管理番号が未発行のものではないか、または重複登録でないかをチェックし（ステップＳ４０）、入力チェックエラーでなければ利用者にユーザＩＤとパスワードを発行する（ステップＳ５０）。これにより、広告管理装置１０３の利用者ＤＢ１０３１には、利用者のカード管理番号とユーザＩＤとが対応付けられて、個人属性情報とともに格納される。尚、入力エラーの場合には、利用者に再入力を促す（ステップＳ６０）。
【００３７】
次に、乗車履歴収集処理について説明する。
【００３８】
利用者登録を終えた利用者（乗客）がラッピングバス１０４に乗車し、ＩＣバスカード１０１で運賃を支払うと（ステップＳ１１０）、精算装置１０５によってカード管理番号が読み取られ（ステップＳ１２０）、乗客ＤＢ１０５２に乗車した日時とともに記録される（ステップＳ１３０）。
【００３９】
このようにしてＩＣバスカード１０１で運賃支払いを行った乗客のカード管理番号が乗客ＤＢ１０５２に逐次蓄積され、バス運行終了後一定時刻になった場合は（ステップＳ１４０）、精算装置１０５に付属しているＰＨＳを介して、広告管理装置１０３に接続し（ステップＳ１５０）、乗客ＤＢ１０５２の中から未送信のデータを対象に、蓄積したカード管理番号および乗車日時をラッピングバス１０４に付与されている車両番号とともに送信する（ステップＳ１６０）。これにより、広告管理装置１０３の乗車履歴ＤＢ１０３３には、それぞれのラッピングバス１０４から送信された乗車履歴情報が格納される。
【００４０】
以上から、本実施の形態の広告管理システム１００によれば、ラッピングバス１０４に施された広告の情報を、そのラッピングバス１０４に乗車した乗客の情報と関連付けて管理することができるので、ラッピングバス１０４の広告効果を的確に把握することができる。これは、具体的には、広告管理装置１０３に備えている広告データベース群１０３６から、それぞれのラッピング広告をどのくらいの人数の乗客が見たか、その乗客はどのような層（性別、年齢など）かなどのラッピングバス１０４に関する広告マーケティングデータをバス単位にかつ時系列に測定できることを意味する。
【００４１】
また、広告管理装置１０３は、広告ＤＢ１０３２の内容を利用者（乗客）に提供する機能も有しているので、乗客は利用者端末１０２を利用して広告管理装置１０３にアクセスすれば、各車両の広告画像を見ることができる。さらに、乗客が利用者端末１０２にユーザＩＤとパスワードを入力して、広告管理装置１０３にアクセスすれば、広告管理装置１０３は、それまでに乗客が乗車したラッピングバス１０４の広告画像を提示する機能も有しているので、乗客に乗車したバスのラッピング広告を意識させることができる。
【００４２】
次に懸賞処理について説明する。懸賞処理は、ラッピングバス１０４に乗車した乗客の中から無作為に当選者を選んで、賞品を贈呈するものである。例えば、具体的には、所定の期間経過後、バス事業者が抽選を行うもので、利用者ＤＢ１０３１の中から当選者を決定する場合は、複数のラッピングバス図柄（広告画像ファイル）を無作為抽出で選定し（ステップＳ３１０）、選定した図柄のラッピングバス１０４に乗車している乗客すべてを広告管理装置１０３の広告データベース群１０３６から検索し（ステップＳ３２０）、該当者には当選者として賞品を贈呈する（ステップＳ３３０）。
【００４３】
また、この他にも、所定の期間内に特定の広告主または特定のラッピングバス乗車した乗客全てを広告管理装置１０３の広告データベース群１０３６から検索し、該当者に広告主からの賞品を贈呈してもよい。
【００４４】
さらに、ＩＣバスカード１０１を持たない者に対しても、バス事業者のホームページにおいて好印象を得たラッピングバスに関するコンテストを行ったり、実際のバス図柄とそれと僅かに異なる図柄をホームページに表示して、正しい図柄を回答させるなどのクイズを行ったりして、ＩＣバスカードを持たない者にもラッピング広告に興味をもたせる企画を催してもよい。これにより、広告訴求対象者をラッピングバス１０４の乗客以外にも拡大することができる。
【００４５】
従って、本実施の形態の広告管理システムは、ＩＣバスカードを所持する乗客だけでなく、一般の通行人に対してもラッピング広告の訴求効果をもたらすことができる。
【００４６】
従って、このようなラッピング広告を施したラッピングバス１０４を運行することで乗客および通行人に単に広告内容を訴求するだけでなく、ＩＣバスカード１０１を介した乗客の乗車履歴を活用して懸賞やコンテストを開催することにより、乗客および通行人がラッピング広告自体に関心を持ち、能動的にラッピングバス１０４を利用することが期待でき、それによってバス事業者や広告主企業の増収に貢献することが可能になる。
【００４７】
以上、本発明の実施の形態について説明してきたが、本発明の要旨を逸脱しない範囲において、本発明の実施の形態に対して種々の変形や変更を施すことができる。例えば、本発明の実施の形態に係る広告管理システム１００は、バスを対象にしたラッピング広告を対象としたが、本発明はこれに限定されることなく、ラッピング広告が可能な公共交通機関、例えば、路面電車などであってもよいのは勿論である。
【００４８】
尚、上記実施の形態の広告管理装置１０３および精算装置１０５の動作は、それぞれ広告管理装置１０３および精算装置１０５に格納されたプログラムを実行することにより実現される。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００４９】
【発明の効果】
以上説明したように、本発明によれば、ラッピングバスの広告効果を的確に把握するとともに、乗客に乗車したバスのラッピング広告を意識させることができる広告管理システム、広告管理方法、広告管理プログラムを提供することができる。
【図面の簡単な説明】
【図１】本発明の実施の形態に係る広告管理システムの概略構成図である。
【図２】本発明の実施の形態に係る広告管理システムのデータベースを説明する図である。
【図３】本発明の実施の形態に係る広告管理システムのユーザ登録処理を説明するフローチャート図である。
【図４】本発明の実施の形態に係る広告管理システムの乗車履歴収集処理を説明するフローチャート図である。
【図５】本発明の実施の形態に係る広告管理システムの懸賞処理を説明するフローチャート図である。
【符号の説明】
１００  広告管理システム
１０１  ＩＣバスカード
１０２  利用者端末
１０３  広告管理装置
１０４  ラッピングバス
１０５  精算装置
１０７  コンピュータネットワーク
１０３１  利用者ＤＢ
１０３２  広告ＤＢ
１０３３  乗車履歴ＤＢ
１０３４  送受信部
１０３５  制御部
１０５１  入出力部
１０５２  乗客ＤＢ
１０５３  通信部
１０５４  制御部
【図１】
2004341403.tif 000003
【図２】
2004341403.tif 000004
【図３】
2004341403.tif 000005
【図４】
2004341403.tif 000006
【図５】
2004341403.tif 000007